(57)【要約】  【課題】安定したダンピング特性を有し、高倍速駆動時の追従性に優れ、製作も容易な光ピックアップを提供する。  【解決手段】複数の透孔１ａが形成された基板１と、基板１の透孔１ａに基端側が挿通されたワイヤー２と、ワイヤー２の先端側に支持されたレンズホルダ４と、基板１とレンズホルダ４との間に設けられた保持部材３とを備える。保持部材３は、側方に開放した緩衝材７充填用の凹部９ａと、この凹部９ａと連通する切欠部２３とを有している。ワイヤー２は、凹部９ａに収納されるように配設されており、基板１のレンズホルダ４側の面１ｂで基板１に半田付けされている。【選択図】  図４
2005116062.tif 000002
【特許請求の範囲】
【請求項１】
基板と、この基板に基端側が固定された複数のワイヤーと、これらのワイヤーの先端側に支持され、対物レンズおよび複数の駆動コイルを保持したレンズホルダと、前記基板とレンズホルダとの間に設けられ、ワイヤーの振動を吸収するための粘弾性体からなる緩衝材を保持する保持部材とを備え、前記基板と保持部材とは固定ブロックを構成するとともに、前記レンズホルダが可動ブロックを構成し、前記ワイヤーは弾性金属材から構成されていて駆動コイルと電気的に接続されており、当該駆動コイルへの通電に基づいてレンズホルダが所定の方向へ移動する光ピックアップにおいて、
前記保持部材は、側方に開放した緩衝材充填用の凹部を有しているとともに、前記基板と対向する側に前記凹部と連通する切欠部を有し、
前記基板には複数の透孔が形成されていて、これらの透孔に前記ワイヤーの基端側がそれぞれ挿通され、
前記ワイヤーは、前記保持部材の凹部に収納されるように配設されているとともに、前記基板のレンズホルダ側の面で基板に半田付けされており、
前記基板と保持部材とは、固定部材により固定されていて、両者が固定された状態で、基板と保持部材との間に前記切欠部による間隙が形成され、この間隙を通して側方からワイヤーの半田付けが可能な構造となっていることを特徴とする光ピックアップ。
【請求項２】
基板と、この基板に基端側が固定された複数のワイヤーと、これらのワイヤーの先端側に支持され、対物レンズおよび複数の駆動コイルを保持したレンズホルダと、前記基板とレンズホルダとの間に設けられ、ワイヤーの振動を吸収するための粘弾性体からなる緩衝材を保持する保持部材とを備え、前記基板と保持部材とは固定ブロックを構成するとともに、前記レンズホルダが可動ブロックを構成し、前記ワイヤーは弾性金属材から構成されていて駆動コイルと電気的に接続されており、当該駆動コイルへの通電に基づいてレンズホルダが所定の方向へ移動する光ピックアップにおいて、
前記保持部材は、側方に開放した緩衝材充填用の凹部を有しており、
前記基板には複数の透孔が形成されていて、これらの透孔に前記ワイヤーの基端側がそれぞれ挿通され、
前記ワイヤーは、前記保持部材の凹部に収納されるように配設されているとともに、前記基板のレンズホルダ側の面で基板に半田付けされており、
前記基板と保持部材とは、固定部材により固定されていて、両者が固定された状態で、保持部材の凹部と基板の透孔とが連通し、前記凹部を通して側方からワイヤーの半田付けが可能な構造となっていることを特徴とする光ピックアップ。
【請求項３】
基板と、この基板に基端側が固定された複数のワイヤーと、これらのワイヤーの先端側に支持され、対物レンズおよび複数の駆動コイルを保持したレンズホルダと、前記基板とレンズホルダとの間に設けられ、ワイヤーの振動を吸収するための緩衝材を保持する保持部材とを備え、前記基板と保持部材とは固定ブロックを構成するとともに、前記レンズホルダが可動ブロックを構成し、前記ワイヤーは弾性金属材から構成されていて駆動コイルと電気的に接続されており、当該駆動コイルへの通電に基づいてレンズホルダが所定の方向へ移動する光ピックアップにおいて、
前記保持部材は、緩衝材充填用の空間部を有しており、
前記基板には複数の透孔が形成されていて、これらの透孔に前記ワイヤーの基端側がそれぞれ挿通され、
前記ワイヤーは、前記保持部材の空間部に収納されるように配設されているとともに、前記基板のレンズホルダ側の面で基板に半田付けされていることを特徴とする光ピックアップ。
【請求項４】
請求項３に記載の光ピックアップにおいて、
前記保持部材の空間部は、側方に開放するように形成された凹部であることを特徴とする光ピックアップ。
【請求項５】
請求項３に記載の光ピックアップにおいて、
前記保持部材の空間部は、周囲が閉塞された中空部であることを特徴とする光ピックアップ。
【請求項６】
請求項４または請求項５に記載の光ピックアップにおいて、
前記基板と保持部材とが固定された状態で、基板と保持部材との間に間隙が形成され、前記間隙を通して側方からワイヤーの半田付けが可能となっていることを特徴とする光ピックアップ。
【請求項７】
請求項４に記載の光ピックアップにおいて、
前記基板と保持部材とが固定された状態で、保持部材の凹部と基板の透孔とが連通し、前記凹部を通して側方からワイヤーの半田付けが可能となっていることを特徴とする光ピックアップ。
【発明の詳細な説明】
【技術分野】
【０００１】
本発明は、ＣＤやＤＶＤのような光ディスクに対して情報の記録再生を行うための光ピックアップに関する。
【背景技術】
【０００２】
図１０は、従来の光ピックアップの概略構成を示した側面断面図である。図において、５０はＤＶＤプレーヤ等に用いられる光ピックアップであって、基板５１と、複数のワイヤー５２と、保持部材５３と、レンズホルダ５４とを備えている。基板５１には、複数の透孔５１ａが形成されており、これらの透孔５１ａにワイヤー５２の基端側がそれぞれ挿通されている。これらのワイヤー５２は弾性金属材からなり、基板５１のレンズホルダ５４とは反対側の面５１ｂで半田付けされて、基板５１に固定されている。５６はこの半田付け部を表している。
【０００３】
保持部材５３には、ワイヤー５２の振動を吸収するための粘弾性体（ゲル剤）からなる緩衝材５７が充填されており、この緩衝材５７中をワイヤー５２が貫通している。なお、保持部材５３は適宜手段により基板５１と一体的に固定されている。
【０００４】
レンズホルダ５４の上面には対物レンズ５８が保持されており、側面に形成された凸部５４ａにはワイヤー５２の先端側が係合している。また、レンズホルダ５４の側面には、ワイヤー５２に近接してピン５４ｂが複数設けられている。これらのピン５４ｂには、レンズホルダ５４を駆動するための駆動コイル５５の一端部が巻き付けられていて、各コイル５５はワイヤー５２と半田付け等の手段により電気的に接続されている。それぞれのコイル５５は、レンズホルダ５４をフォーカス方向（上下）、トラッキング方向（左右）、チルト方向（斜め）へ移動させるためのもので、コイルへの通電により発生する磁界と、図示しないマグネットの磁界との間に作用するローレンツ力を利用して、レンズホルダ５４を上記各方向へ移動させる。この移動の際にワイヤー５２に生じる振動は、粘弾性体からなる緩衝材５７により吸収される。
【０００５】
以上のような、レンズホルダを複数のワイヤーを介して基板に支持した構造の光ピックアップに関する先行技術としては、例えば下記に掲げる特許文献１〜３がある。
【特許文献１】特許第２８６０９６４号公報（段落番号００１１〜００１５、図４〜図６）
【特許文献２】特許第３１３７３２４号公報（段落番号００１１〜００１５、図４〜図６）
【特許文献３】特開２００１−３４４７８３号公報（段落番号００３４〜００３６、図３）
【発明の開示】
【発明が解決しようとする課題】
【０００６】
しかしながら、図１０に示した従来の光ピックアップ５０では、次のような問題点がある。図１１は、ワイヤー５２の半田付け部分を拡大した図である。なお、ここでは保持部材５３の図示は省略してある。図１１（ａ）は、レンズホルダ５４が静止している状態であり、ワイヤー５２は直線状態を維持している。このとき、ワイヤー５２の固定点は、半田付け部５６のＢ点となっている。図１１（ｂ）は、レンズホルダ５４が図１０で上方向へ移動した状態である。この状態では、レンズホルダ５４の移動に追従して、ワイヤー５２は５２´のように変位する。このとき、基板５１に形成された透孔５１ａの内径はワイヤー５２の外径よりも大きく、ワイヤー５２は透孔５１ａに遊嵌状態で挿通されているため、ワイヤー５２が図のように変位すると、固定点は半田付け部５６のＢ点から透孔５１ａのエッジ部のＣ点へ移る。すなわち、レンズホルダ５４の移動に伴ってワイヤー５２の固定点が変化する。このように固定点が変化すると、ワイヤー５２の可動長が変わるためにダンピング特性が変化し、感度が不安定になるなど好ましくない結果を招来する。
【０００７】
また、従来のものでは、ワイヤー５２の共振周波数を高くするには限界があるという問題もある。すなわち、一般に光ピックアップにおいては、ディスクが高倍速で駆動される際には、ディスクの回転に光ピックアップが高速で追従できるよう感度を上げる必要があり、このためにはワイヤー５２の共振周波数を高く設定して、ワイヤー５２が不要な振動を起こさないようにすることが要求される。この共振周波数を高くする方法として、ワイヤー５２の径を太くすることが考えられるが、これだとワイヤー５２のコストがアップする。そこで、ワイヤー５２の固定点間の距離を短くするようにすれば、コストアップを伴わずに共振周波数を高くすることができる。しかるに、図１０のものでは、ワイヤー５２の半田付け部５６が、基板５１のレンズホルダ５４側と反対側の面５１ｂにあるため、ワイヤー５２の基端側の固定点（半田付け部５６）と、先端側の固定点（凸部５４ａ）との間の距離が長くなり、共振周波数を高くする上で限界がある。この結果、ディスクの高倍速駆動時にワイヤー５２が共振して光ピックアップの追従性が低下し、ディスクに対する光学読取精度が悪くなるおそれがある。
【０００８】
以上のことは、前記特許文献１、２のものにおいても同様である。なお、特許文献３には、基板のレンズホルダ側の面でワイヤーと基板とを半田付けした構造が開示されているが、本文献のものでは、緩衝材が設けられていないので、ワイヤーが共振した場合にその振動を吸収することができず、光ピックアップの追従性が低下する。さらに、ワイヤーが基板を貫通する構造ではないので、ワイヤーを基板に半田付けする際にワイヤーの位置決めが極めて困難で生産性が悪いという問題がある。
【０００９】
本発明は、上記課題を解決するものであって、その目的とするところは、安定したダンピング特性を有し、高倍速駆動時の追従性に優れ、製作も容易な光ピックアップを提供することにある。
【課題を解決するための手段】
【００１０】
本発明の光ピックアップは、基板と、この基板に基端側が固定された複数のワイヤーと、これらのワイヤーの先端側に支持され、対物レンズおよび複数の駆動コイルを保持したレンズホルダと、基板とレンズホルダとの間に設けられ、ワイヤーの振動を吸収するための緩衝材を保持する保持部材とを備え、基板と保持部材とは固定ブロックを構成するとともに、レンズホルダが可動ブロックを構成し、ワイヤーは弾性金属材から構成されていて駆動コイルと電気的に接続されており、当該駆動コイルへの通電に基づいてレンズホルダが所定の方向へ移動する光ピックアップであって、保持部材は緩衝材充填用の空間部を有しており、基板には複数の透孔が形成されていて、これらの透孔にワイヤーの基端側がそれぞれ挿通される。また、ワイヤーは、保持部材の空間部に収納されるように配設されているとともに、基板のレンズホルダ側の面で基板に半田付けされている。
【００１１】
本発明では、ワイヤーが基板の透孔に挿通されて、基板のレンズホルダ側の面で半田付けにより固定されるため、フォーカス制御やトラッキング制御等の際にレンズホルダが移動しても、ワイヤーの固定点は常に半田付け部となり、固定点が変動することはない。したがって、固定点の変動によってダンピング特性が変化することはなく、安定した特性を維持できる。しかも、ワイヤーの基端側の固定点をレンズホルダ側の固定点により近づけることができるので、固定点間の距離が短くなって共振周波数をより高く設定することができ、これによって高感度が要求されるディスクの高倍速駆動時に対応することが可能となる。さらに、ワイヤーを基板の透孔に挿通した状態で半田付けできるので、ワイヤーを基板に半田付けする際にワイヤーの位置決めが簡単に行え、製作も容易となる。
【００１２】
保持部材に設ける緩衝材充填用の空間部としては、側方に開放するように形成された凹部であってもよいし、周囲が閉塞された中空部であってもよい。側方に開放する凹部の場合は、緩衝材の充填を側方から行うことができ、作業性が向上する。一方、周囲が閉塞された中空部の場合は、緩衝材を封入状態で充填でき、外部への流出を防止することができる。
【００１３】
本発明においては、基板と保持部材とが固定された状態で、基板と保持部材との間に間隙が形成されるようにしておくと、基板と保持部材とを固定した後にワイヤーと基板との半田付けを行う場合であっても、上記間隙を通して側方からワイヤーの半田付けが可能となるため、保持部材が邪魔にならず、半田付け作業が容易となる。この場合の実施形態としては、保持部材の基板と対向する側に凹部と連通する切欠部を設け、基板と保持部材とが固定された状態で、両者の間に上記切欠部による間隙が形成されるようにするのが好ましい。
【００１４】
また、他の実施形態として、基板と保持部材とが固定された状態で、保持部材の凹部と基板の透孔とが連通するようにし、凹部を通して側方からワイヤーの半田付けができるような構造にしてもよい。これによると、保持部材を基板から離して固定する必要がなく、基板に隣接して固定できるため、ワイヤーの変位量を確保することができる。
【発明の効果】
【００１５】
本発明によれば、レンズホルダが移動してもワイヤーの固定点は変動しないため、ダンピング特性が変化することはなく、安定した特性を維持できる。また、ワイヤーの基端側の固定点をレンズホルダ側の固定点により近づけて、共振周波数を高くすることができるので、高感度が要求される高倍速駆動時にも対応が可能となる。さらに、ワイヤーを基板の透孔に挿通した状態で半田付けできるので、半田付け時のワイヤーの位置決めが簡単に行え、製作も容易となる。
【発明を実施するための最良の形態】
【００１６】
図１ないし図３は、本発明に係る光ピックアップの一例を示した図であって、図１は上面図、図２は右側面図、図３は図１のＸ−Ｘ断面図である。図において、１０はＤＶＤプレーヤ等に用いられる光ピックアップであって、基板１と、複数のワイヤー２と、ゲルボックス（保持部材）３と、レンズホルダ４とを備えている。基板１とゲルボックス３とは固定ブロックを構成していて、ベース２０（図２）に立設された支持壁２０ａに、固定部材であるビス２４（図１）を介して取り付けられている。なお、固定部材としては、ビス以外にフック片や接着剤等を用いてもよい。レンズホルダ４は可動ブロックを構成していて、基板１に固定されたワイヤー２の先端側に支持されている。基板１におけるワイヤー２の固定構造の詳細については後述する。
【００１７】
ゲルボックス３は、図２に示されるように、緩衝材充填用の凹部９ａを有しているとともに、基板１と対向する側に凹部９ａと連通する切欠部２３を有している。凹部９ａには、ワイヤー２の振動を吸収するための粘弾性体（例えばシリコン系のゲル剤）からなる緩衝材７が充填される。図３（ａ）は緩衝材７を充填した状態、図３（ｂ）は緩衝材７を充填する前の状態を示している。図３（ｂ）のように、凹部９ａはゲルボックス３の両側に側方（図の左右方向）に開放して設けられている。また、ワイヤー２は、ゲルボックス３を挟んで左右に３本ずつ設けられていて、それぞれの凹部９ａに収納されるように配設されており、図３（ａ）のように、凹部９ａに充填された緩衝材７中を貫通している。
【００１８】
レンズホルダ４は、対物レンズ８を保持しているとともに、レンズホルダ４をディスクに対して垂直方向へ移動させるためのフォーカスコイル５ａ、レンズホルダ４をディスクに対して水平方向へ移動させるためのトラッキングコイル５ｂ、レンズホルダ４をディスクに対して斜め方向へ移動させるためのチルトコイル５ｃからなる３種類の駆動コイルを備えている。また、レンズホルダ４の側面には、ワイヤー２が係合する凸部４ａと、各コイル５ａ，５ｂ，５ｃの端部が巻き付けられるピン４ｂとが設けられている。２１はベース２０に立設された支持壁２０ｂに固定されたマグネット、２２は支持壁２０ａに固定されたマグネットであって、各コイル５ａ，５ｂ，５ｃへの通電により発生する磁界と、マグネット２１，２２の磁界との間に作用するローレンツ力により、レンズホルダ４を所定の方向へ移動させる。この移動の際にワイヤー２に生じる振動は、ゲルボックス３の緩衝材７によって吸収される。
【００１９】
図４は、光ピックアップ１０の要部の詳細構造を示した側面断面図である。なお、ここでは図２のトラッキングコイル５ｂやマグネット２２の図示を省略してある。基板１には、複数の透孔１ａが形成されており、これらの透孔１ａにワイヤー２の基端側がそれぞれ挿通されている。ワイヤー２は、例えばリン青銅やベリリウム銅のような導電性の弾性金属材からなり、基板１のレンズホルダ４側の面１ｂで半田付けされて、基板１に固定されている。６はこの半田付け部を表している。なお、面１ｂにおける透孔１ａの周囲には、半田付け用の銅箔部（図示省略）が形成されている。図４からわかるように、基板１とゲルボックス３とが固定された状態では、両者の間に切欠部２３による間隙Ｇが形成されている。レンズホルダ４の凸部４ａには、ワイヤー２の先端側が係合しており、また、レンズホルダ４の側面に設けられた複数のピン４ｂには、前述の各コイル５ａ，５ｂ，５ｃの端部が巻き付けられている。ピン４ｂはワイヤー２と近接して設けられており、ピン４ｂに巻き付けられたコイル５ａ，５ｂ，５ｃの端部は、半田付け等の手段によりワイヤー２と電気的に接続される。
【００２０】
図５は、ワイヤー２の半田付け部分を拡大した図である。なお、ここではゲルボックス３の図示は省略してある。図５（ａ）は、レンズホルダ４が静止している状態であり、ワイヤー２は直線状態を維持している。このとき、ワイヤー２の固定点は、半田付け部６のＡ点となっている。図５（ｂ）は、レンズホルダ４が図４で上方向へ移動した状態である。この状態では、レンズホルダ４の移動に追従して、ワイヤー２は２´のように変位する。この場合、基板１に形成された透孔１ａの内径はワイヤー２の外径よりも大きく、ワイヤー２は透孔１ａに遊嵌状態で挿通されているにもかかわらず、固定点は変位前の固定点と同じＡ点である。すなわち、レンズホルダ４が移動しても、ワイヤー２の固定点は変動しないため、ダンピング特性が変化することはなく、安定した特性を維持することができる。
【００２１】
図４に示した光ピックアップ１０においては、図１０の従来例と比較して、ワイヤー２の基端側の固定点（半田付け部６）を、基板１の厚さの分だけレンズホルダ４側の固定点（凸部４ａ）に近づけることができる。この結果、固定点間の距離が短くなって、ワイヤー２の共振周波数をより高く設定することができ、これによって高感度が要求されるディスクの高倍速駆動時に対応することが可能となる。さらに、ワイヤー２を基板１の透孔１ａに挿通した状態で半田付けできるので、ワイヤー２を基板１に半田付けする際にワイヤー２の位置決めが簡単に行え、製作も容易となる。
【００２２】
また、上記実施形態においては、前述のように、基板１とゲルボックス３との間に切欠部２３による間隙Ｇ（図４）が形成されるので、基板１とゲルボックス３とが支持壁２０ａに固定された状態でワイヤー２と基板１との半田付けを行う場合に、間隙Ｇを通して側方から半田付けを行うことができる。このため、ゲルボックス３が邪魔になることはなく、半田付け作業が容易となる。さらに、ゲルボックス３の凹部９ａが側方に開放しているので、緩衝材７の凹部９ａへの充填作業も側方から行うことができ、作業性が向上する。なお、緩衝材７は、ワイヤー２と基板１とを半田付けする前に凹部９ａへ充填してもよいし、ワイヤー２と基板１との半田付けが完了した後に凹部９ａへ充填してもよい。後者の場合は、半田付け時に間隙Ｇと凹部９ａとが連通して側方に開放していることから、半田付け作業を一層容易に行うことができる。
【００２３】
なお、上記実施形態では、基板１とゲルボックス３とをビス２４により支持壁２０ａに固定したが、図６に示すように、ベース２０に立設された支持壁２０ｃに基板１をビス等で取り付け、ベース２０に立設された支持壁２０ａにゲルボックス３をビス等で取り付けるようにしてもよい。この場合、ゲルボックス３には前記の切欠部２３を設ける必要はない。また、基板１とゲルボックス３との間に間隙Ｇが形成されるように、支持壁２０ａと支持壁２０ｃとの距離が設定される。図６の実施形態は、以上の点を除いて図４の実施形態と同じであるので、図４と同一部分には同一符号を付してある。
【００２４】
また、以上の実施形態では、ゲルボックス３の緩衝材充填用の空間部として、側方に開放した凹部９ａを例に挙げたが、これに代えて、図７に示したように、周囲が閉塞された中空部９ｂを緩衝材充填用の空間部とすることもできる。図７では、図３と同一部分に同一符号を付してある。図７のゲルボックス３によると、中空部９ｂの周囲が閉塞されていることから、中空部９ｂへ緩衝材７を封入状態で充填できるため、緩衝材７が流動性を有していても、充填した緩衝材７が外部へ流出するを防止することができる。
【００２５】
図８は、本発明の他の実施形態を示している。この実施形態においては、ゲルボックス３として、図３のように凹部９ａが側方に開放しているものを用いる。図８において図４と相違する点は、ゲルボックス３に切欠部２３が設けられておらず、基板１とゲルボックス３とが固定された状態では、両者の間に間隙Ｇが存在しないことである。すなわち、本実施形態では、基板１とゲルボックス３とは密着状態で固定されていて、この状態でゲルボックス３の凹部９ａと基板１の透孔１ａとが連通している。その他の点については図４の実施形態と同じであるので、図４と同一部分には同一符号を付してある。
【００２６】
図８の実施形態においても、ワイヤー２と基板１との半田付け部６がレンズホルダ側にあるため、図５で説明したように、レンズホルダ４が移動してもワイヤー２の固定点は変動せず、安定したダンピング特性を維持することができる。また、ワイヤー２の固定点間の距離が短くなって、共振周波数をより高く設定できるため、高感度が要求されるディスクの高倍速駆動時に対応することが可能となる。さらに、ワイヤー２を基板１の透孔１ａに挿通した状態で半田付けできるので、半田付け時にワイヤー２の位置決めが簡単に行え、製作も容易となる。
【００２７】
また、図８の場合は、基板１とゲルボックス３との間に間隙が存在しないので、ワイヤー２と基板１との半田付けが完了した後に凹部９ａへ緩衝材７を充填する必要があるが、この場合でも、凹部９ａが側方に開放していて、かつ凹部９ａと基板１の透孔１ａとが連通しているため、凹部９ａを通して側方からワイヤー２の半田付けを行うことができる。したがって、ゲルボックス３が邪魔になることはなく、半田付け作業が容易となる。
【００２８】
そして、ワイヤー２の基板１への半田付けが終了した後に、緩衝材７を凹部９ａへ充填する。この場合、凹部９ａが側方に開放しているので、緩衝材７の充填作業を側方から行うことができ、作業性が向上する。また、基板１の透孔１ａが半田付け部６により塞がれているので、緩衝材７が流動性を有していても、充填時に緩衝材７が透孔１ａ内へ侵入するのが防止される。さらに、本実施形態によれば、ゲルボックス３を基板１から離して固定する必要がなく、基板１に密着して固定できるので、ワイヤー２のゲルボックス３からの突出部分の長さが長くなり、ワイヤー２の変位量が確保される。
【００２９】
以上述べた実施形態においては、駆動コイルとしてフォーカス用、トラッキング用、チルト用の３種類のコイル５ａ，５ｂ，５ｃを備えた光ピックアップ１０を例に挙げたが、本発明はこれのみに限定されるものではなく、駆動コイルは例えばフォーカスコイル５ａとトラッキングコイル５ｂの２種類であってもよい。
【００３０】
また、以上の実施形態では、３本のワイヤー２を１つの凹部９ａに収納する例を示したが、図９のように、それぞれのワイヤー２を収納する凹部９ａを個別に設け、各凹部９ａに緩衝材７を充填してもよい。
【００３１】
また、以上の実施形態では、ワイヤー２をゲルボックス３の左右に３本ずつ配設した例を示したが、本発明はこれのみに限定されるものではなく、ワイヤー２をゲルボックス３の左右に例えば２本ずつ配設したものであってもよい。
【図面の簡単な説明】
【００３２】
【図１】本発明の実施形態に係る光ピックアップの上面図である。
【図２】同光ピックアップの右側面図である。
【図３】同光ピックアップの断面図である。
【図４】同光ピックアップの要部の詳細構造を示した側面断面図である。
【図５】ワイヤーの半田付け部分を拡大した図である。
【図６】本発明の他の実施形態に係る光ピックアップの側面断面図である。
【図７】ゲルボックスの他の実施形態を示す正面断面図である。
【図８】本発明の他の実施形態に係る光ピックアップの側面断面図である。
【図９】ゲルボックスの他の実施形態を示す正面断面図である。
【図１０】従来の光ピックアップの側面断面図である。
【図１１】従来例におけるワイヤーの半田付け部分の拡大図である。
【符号の説明】
【００３３】
１    基板
１ａ  透孔
１ｂ  基板のレンズホルダ側の面
２    ワイヤー
３    ゲルボックス（保持部材）
４    レンズホルダ
５ａ  フォーカスコイル
５ｂ  トラッキングコイル
５ｃ  チルトコイル
６    半田付け部
７    緩衝材
８    対物レンズ
９ａ  凹部
９ｂ  中空部
１０  光ピックアップ
２３  切欠部
２４  ビス（固定部材）
Ａ    固定点
Ｇ    間隙
【図１】
2005116062.tif 000003
【図２】
2005116062.tif 000004
【図３】
2005116062.tif 000005
【図４】
2005116062.tif 000006
【図５】
2005116062.tif 000007
【図６】
2005116062.tif 000008
【図７】
2005116062.tif 000009
【図８】
2005116062.tif 000010
【図９】
2005116062.tif 000011
【図１０】
2005116062.tif 000012
【図１１】
2005116062.tif 000013